(57)【特許請求の範囲】
【請求項１】
建設機械の作業装置に設けられ、互いに離間する開位置と接近する閉位置との間で開，閉する一組のクラムシェルからなる標準バケットを備え、前記標準バケットを構成する各クラムシェルは、互いに対面する一対の側板と、これら各側板間を連結する底板とにより構成してなるクラムシェルバケット装置において、
前記標準バケットの各クラムシェルには、前記側板間の掘削幅よりも広幅な掘削幅を有する広幅追加バケットを着脱可能に取付け、
前記広幅追加バケットは、前記標準バケットを構成するクラムシェルの各側板に固定される左，右の取付板と、この左，右の取付板から左，右方向に離間して配置され、各取付板との間で前記クラムシェルの左，右両側に追加の収容空間を形成する左，右の追加側板と、前記クラムシェルの底板とほぼ平行に延びて前記取付板と追加側板とを一体に連結し、前記追加の収容空間の底部を形成する追加底板とにより構成し、
前記クラムシェルの底板に前記広幅追加バケットの追加底板を被せて装着し、前記クラムシェルの一対の側板および前記広幅追加バケットの左，右の取付板にそれぞれ設けたピン孔に連結ピンを挿通し、前記クラムシェルに対し前記広幅追加バケットを固定することを特徴とするクラムシェルバケット装置。
【請求項２】
建設機械の作業装置に設けられ、互いに離間する開位置と接近する閉位置との間で開，閉する一組のクラムシェルからなる標準バケットを備え、前記標準バケットを構成する各クラムシェルは、互いに対面する一対の側板と、これら各側板間を連結する底板とにより構成してなるクラムシェルバケット装置において、
前記標準バケットの各クラムシェルには、前記側板間の掘削幅よりも狭幅な掘削幅を有する狭幅追加バケットを着脱可能に取付け、
前記狭幅追加バケットは、前記標準バケットを構成するクラムシェルの各側板に固定される左，右の取付板と、この左，右の取付板よりも狭幅となって前記クラムシェルの底板から離間する方向に延び追加の収容空間を形成する左，右の追加側板と、前記底板よりも狭幅となって左，右の追加側板間を連結し前記追加の収容空間の底部を形成する追加底板とにより構成したことを特徴とするクラムシェルバケット装置。
【発明の詳細な説明】
【０００１】
【発明の属する技術分野】
本発明は、例えば油圧ショベル、油圧クレーン等の建設機械の作業装置に設けられ、縦坑の掘削作業、排水溝に堆積した泥土を排土する清掃作業等に好適に用いられるクラムシェルバケット装置に関する。
【０００２】
【従来の技術】
一般に、大規模な工場の敷地内には、工場から排出される排水を流すための多数の側溝（排水溝）が配設され、この排水溝は、例えば９００ｍｍ程度の溝幅を有する広幅な排水溝、３００ｍｍ程度の溝幅を有する狭幅な排水溝等、大小様々な溝幅をもって形成されている。
【０００３】
ところで、これらの排水溝には工場からの排水の他に雨水等が流込むため、雨水中に混入した泥土等が排水溝内に堆積する。このため、堆積した泥土等によって排水溝がつまるのを防止するため、排水溝内の泥土を排土する清掃作業を定期的に行う必要がある。そして、この排水溝の清掃作業には、通常、例えば油圧ショベルの作業装置に取付けたクラムシェルバケット装置が好適に用いられる。
【０００４】
ここで、上述のクラムシェルバケット装置は、互いに離間する開位置と接近する閉位置との間で開，閉する一組のクラムシェルからなる標準バケットを備え、この標準バケットの各クラムシェルを排水溝内に挿入して開位置から閉位置へと移動させ、排水溝内に堆積した泥土を掘削して掬取ることにより排水溝の清掃作業を行うことができる。
【０００５】
【発明が解決しようとする課題】
しかし、上述した従来技術によるクラムシェルバケット装置は、標準的な掘削幅が６００ｍｍ程度に設定されている。従って、９００ｍｍ程度の溝幅を有する広幅な排水溝の清掃作業を行うときには、クラムシェルの掘削幅が溝幅に比較して小さいため、各クラムシェルを排水溝の溝幅方向に移動させて２回の開，閉動作を行う必要があり、広幅な排水溝を清掃するときの作業性が悪いという問題がある。
【０００６】
一方、３００ｍｍ程度の溝幅を有する狭幅な排水溝の清掃作業を行うときには、クラムシェルを排水溝内に挿入することができない。このため、狭幅な水溝の清掃作業を行うときには、例えば作業者がスコップ等を用いて排水溝内の泥土を排土する必要があり、作業者に大きな負担がかかるという問題がある。
【０００７】
また、例えば標準的な掘削幅を有するクラムシェルに代えて、排水溝の溝幅に対応した掘削幅を有するクラムシェルを交換して取付けることが考えられるが、この場合には、クラムシェルの交換作業が非常に煩雑であるという問題がある。
【０００８】
本発明は上述した従来技術の問題に鑑みなされたもので、作業内容に応じて掘削幅を変更することができるようにしたクラムシェルバケット装置を提供することを目的としている。
【０００９】
【課題を解決するための手段】
上述した課題を解決するため、本発明は、建設機械の作業装置に設けられ、互いに離間する開位置と接近する閉位置との間で開，閉する一組のクラムシェルからなる標準バケットを備え、前記標準バケットを構成する各クラムシェルは、互いに対面する一対の側板と、これら各側板間を連結する底板とにより構成してなるクラムシェルバケット装置に適用される。
【００１０】
そして、請求項１の発明が採用する構成の特徴は、標準バケットの各クラムシェルには、前記側板間の掘削幅よりも広幅な掘削幅を有する広幅追加バケットを着脱可能に取付け、前記狭幅追加バケットは、前記標準バケットを構成するクラムシェルの各側板に固定される左，右の取付板と、この左，右の取付板よりも狭幅となって前記クラムシェルの底板から下方に延び前記クラムシェルの下側に追加の収容空間を形成する左，右の追加側板と、前記底板よりも狭幅となって左，右の追加側板間を連結し前記収容空間の底部を形成する追加底板とにより構成し、前記クラムシェルの底板に前記広幅追加バケットの追加底板を被せて装着し、前記クラムシェルの一対の側板および前記広幅追加バケットの左，右の取付板にそれぞれ設けたピン孔に連結ピンを挿通し、前記クラムシェルに対し前記広幅追加バケットを固定することにある。
【００１１】
このように構成したことにより、例えば標準バケットの掘削幅よりも大きな溝幅をもった排水溝内の泥土等を掬取る場合に、排水溝の溝幅に対応した掘削幅を有する広幅追加バケットを標準バケットの各クラムシェルに取付け、この広幅追加バケットを用いて排水溝内の泥土等を掬取ることができる。この場合、標準バケットを構成する各クラムシェルの側板に広幅追加バケットの取付板を固定するだけで、クラムシェルの側板と広幅追加バケットの追加側板との間に、追加底板を底部とする追加の収容空間を形成することができる。このため、クラムシェルに追加の収容空間を形成した分、掘削幅を拡張することができる。
【００１４】
請求項２の発明は、建設機械の作業装置に設けられ、互いに離間する開位置と接近する閉位置との間で開，閉する一組のクラムシェルからなる標準バケットを備え、前記標準バケットを構成する各クラムシェルは、互いに対面する一対の側板と、これら各側板間を連結する底板とにより構成してなるクラムシェルバケット装置において、標準バケットの各クラムシェルには、前記側板間の掘削幅よりも狭幅な掘削幅を有する狭幅追加バケットを着脱可能に取付け、前記狭幅追加バケットは、前記標準バケットを構成するクラムシェルの各側板に固定される左，右の取付板と、この左，右の取付板よりも狭幅となって前記クラムシェルの底板から離間する方向に延び追加の収容空間を形成する左，右の追加側板と、前記底板よりも狭幅となって左，右の追加側板間を連結し前記追加の収容空間の底部を形成する追加底板とにより構成したことにある。
【００１５】
このように構成したことにより、例えば標準バケットの掘削幅よりも小さな溝幅をもった排水溝内の泥土等を掬取る場合に、排水溝の溝幅に対応した掘削幅を有する狭幅追加バケットを標準バケットの各クラムシェルに取付け、この狭幅追加バケットを用いて排水溝内の泥土等を掬取ることができる。この場合、標準バケットを構成する各クラムシェルの側板に狭幅追加バケットの取付板を固定するだけで、クラムシェルの底板から離間した位置に狭幅な追加の収容空間を形成することができ、掘削幅を縮小することができる。
【００１８】
【発明の実施の形態】
以下、本発明に係るクラムシェルバケット装置の実施の形態を、油圧ショベルの作業装置に適用した場合を例に挙げ、図１ないし図８を参照しつつ詳細に説明する。まず、図１ないし図５は本発明の第１の実施の形態を示している。
【００１９】
図中、１は油圧ショベルで、この油圧ショベル１は、クローラ式の下部走行体２と、下部走行体２上に旋回可能に搭載された上部旋回体３と、上部旋回体３の前部側に俯仰動可能に設けられた作業装置４とにより大略構成されている。
【００２０】
そして、作業装置４は、上部旋回体３の前部中央にピン結合されブームシリンダ５によって俯仰動されるブーム６と、ブーム６の先端側にピン結合されアームシリンダ７によって俯仰動されるアーム８と、アーム８の先端側にジョイント９を介して取付けられた後述のクラムシェルバケット装置１１とにより大略構成されている。
【００２１】
１１は作業装置４に設けられた本実施の形態によるクラムシェルバケット装置で、該クラムシェルバケット装置１１は、図２ないし図５に示すように、後述の油圧シリンダ１２、リンク１８、標準バケット２０、広幅追加バケット２６等により構成されている。
【００２２】
１２はアクチュエータとしての油圧シリンダで、該油圧シリンダ１２は、基端側がアーム８にピン結合されたチューブ１３と、該チューブ１３内に摺動可能に設けられたピストン（図示せず）と、基端側がチューブ１３内でピストンに固着され先端側がチューブ１３の外部に突出したロッド１４とからなり、油圧源（図示せず）からチューブ１３内に圧油を給排することによりロッド１４が伸縮するものである。
【００２３】
ここで、チューブ１３の基端部には取付アイ１５が突設され、該取付アイ１５をジョイント９にピン結合することにより、油圧シリンダ１２がアーム８の先端側に吊下げられている。また、チューブ１３の基端側外周面には、該チューブ１３を径方向から挟むように２個の固定ブラケット１６，１６が突設されている。
【００２４】
一方、ロッド１４の先端部には、該ロッド１４の伸縮動作に応じて上，下方向に昇降する可動ブラケット１７が固着され、この可動ブラケット１７には標準バケット２０がピン結合される構成となっている。
【００２５】
１８，１８は上端側がチューブ１３の固定ブラケット１６にピン１９を用いて回動可能に取付けられたリンクで、これら各リンク１８は、図４及び図５に示すように、略三角形の枠状に形成されている。そして、各リンク１８の下端側は標準バケット２０にピン結合される構成となっている。
【００２６】
２０はクラムシェルバケット装置１１の標準バケットで、この標準バケット２０は、互いに離間する開位置（図３の位置）と接近する閉位置（図２の位置）との間で開，閉する一組のクラムシェル２１，２１により構成されている。
【００２７】
ここで、クラムシェル２１は、略三角形状に形成され左，右方向で互いに対面する左，右の側板２２，２２と、左，右方向に延びて各側板２２間を連結する湾曲板状の底板２３とにより構成され、側板２２間の幅寸法がクラムシェル２１（標準バケット２０）の掘削幅Ｌとなっている。また、クラムシェル２１の各側板２２には、後述の連結ピン３１を挿通するためのピン孔２２Ａ，２２Ａが穿設されている（図５参照）。
【００２８】
そして、クラムシェル２１の各側板２２は、ピン２４を用いて可動ブラケット１７にピン結合されると共に、ピン２５を用いてリンク１８の下端部にピン結合されている。
【００２９】
従って、各クラムシェル２１は、油圧シリンダ１２のロッド１４が伸長して可動ブラケット１７との間を連結するピン２４が下方に移動したときには、リンク１８との間を連結するピン２５を中心として互いに離間する開位置（図４の位置）へと移動し、ロッド１４が縮小してピン２４が上方に移動したときには、ピン２５を中心として互いに接近（衝合）する閉位置（図２の位置）へと移動する。
【００３０】
このように、本実施の形態によるクラムシェルバケット装置１１は、油圧シリンダ１２のロッド１４が伸縮してピン２４が上，下方向に移動することにより、各クラムシェル２１がピン２５を中心として開，閉するセンタプル式のクラムシェルバケット装置として構成されている。
【００３１】
２６，２６は標準バケット２０を構成する各クラムシェル２１に着脱可能に取付けられた一組の広幅追加バケットで、これら各広幅追加バケット２６は、標準バケット２０の各クラムシェル２１に追加して取付けられることにより、クラムシェルバケット装置１１の掘削幅を拡張するものである。
【００３２】
ここで、広幅追加バケット２６は、図５に示すように、クラムシェル２１の各側板２２間の幅寸法に対応する幅寸法をもった左，右の取付板２７，２７と、各取付板２７から左，右方向に離間して配置され該各取付板２７との間に追加の収容空間２８，２８を形成する左，右の追加側板２９，２９と、クラムシェル２１の底板２３と略平行に延びて各取付板２７と各追加側板２９とを一体に連結し、収容空間２８の底部を形成する追加底板３０とにより構成されている。そして、図４に示すように、各追加側板２９間の幅寸法が広幅追加バケット２６の掘削幅Ｓとなり、この広幅追加バケット２６の掘削幅Ｓは、標準バケット２０の掘削幅Ｌよりも広幅（Ｓ＞Ｌ）に設定されている。
【００３３】
そして、各取付板２７にはクラムシェル２１の各側板２２のピン孔２２Ａに対応するピン孔２７Ａが穿設され、図２ないし図４に示す如く広幅追加バケット２６の追加底板３０をクラムシェル２１の底板２３に被せて装着した状態で、これら各ピン孔２２Ａ，２７Ａに連結ピン３１，３１，…を挿通することにより、クラムシェル２１の各側板２２に広幅追加バケット２６の各取付板２７が固定される。これにより、標準バケット２０を構成する各クラムシェル２１に広幅追加バケット２６が着脱可能に取付けられ、これらクラムシェル２１の左，右両側に広幅追加バケット２６の収容空間２８が追加して設けられる構成となっている。
【００３４】
本実施の形態によるクラムシェルバケット装置１１は上述の如き構成を有するもので、以下、このクラムシェルバケット装置１１を用いて排水溝内に堆積した泥土を排土する清掃作業について説明する。
【００３５】
まず、排水溝の溝幅が標準バケット２０の掘削幅Ｌよりも大きい場合には、この排水溝の溝幅よりも僅かに小さい掘削幅Ｓをもった広幅追加バケット２６を予め標準バケット２０の各クラムシェル２１に取付けておく。
【００３６】
次に、油圧ショベル１のブーム６、アーム８等を俯仰動させ、クラムシェルバケット装置１１を清掃すべき排水溝の上方へと移動させた後、油圧シリンダ１２によって各クラムシェル２１を開位置へと移動させた状態で、これら標準バケット２０及び広幅追加バケット２６を排水溝内に挿入する。この場合、広幅追加バケット２６の掘削幅Ｓは排水溝の溝幅に対応しているため、この排水溝の溝幅いっぱいに標準バケット２０及び広幅追加バケット２６を挿入することができる。
【００３７】
そして、油圧シリンダ１２によって各クラムシェル２１を閉位置へと移動させ、標準バケット２０及び広幅追加バケット２６によって排水溝内の泥土を掬取る。この場合、標準バケット２０を構成する各クラムシェル２１の左，右両側には、広幅追加バケット２６の収容空間２８が追加して設けられている。このため、標準バケット２０の各クラムシェル２１に加え、広幅追加バケット２６の収容空間２８を用いて排水溝内に堆積した泥土を大量に掬取ることができる。
【００３８】
次に、例えばブーム６、アーム８を俯仰動させつつ上部旋回体３を旋回させ、クラムシェルバケット装置１１を所望の排土場所に移動させ、油圧シリンダ１２によってクラムシェル２１を閉位置から開位置へと移動させることにより、標準バケット２０の各クラムシェル２１及び広幅追加バケット２６によって掬取った泥土を排土場所に排出することができる。
【００３９】
なお、清掃すべき排水溝の溝幅が、標準バケット２０の掘削幅Ｌとほぼ等しい場合には、各クラムシェル２１から広幅追加バケット２６を取外し、クラムシェル２１の側板２２に設けた各ピン孔２２Ａをプラグ（図示せず）によって閉塞することにより、標準バケット２０の各クラムシェル２１のみを用いて排水溝内の泥土を掬取ることができる。
【００４０】
かくして、本実施の形態によれば、排水溝の溝幅が標準バケット２０の掘削幅Ｌよりも大きい場合でも、標準バケット２０の各クラムシェル２１に排水溝の溝幅に対応した掘削幅Ｓを有する広幅追加バケット２６を取付けることにより、クラムシェルバケット装置１１の掘削幅を拡張することができる。このため、クラムシェルバケット装置１１を排水溝の溝幅方向に移動させることなく、クラムシェル２１の開，閉動作を１回行うだけで広幅な排水溝内の泥土を大量に掬取ることができる。
【００４１】
このため、例えばクラムシェルバケット装置１１を排水溝の溝幅方向に移動させて２回の開，閉動作を行う必要がなくなり、広幅な排水溝を清掃するときの作業性を向上することができる。
【００４２】
また、本実施の形態によれば、清掃すべき排水溝の溝幅に対応した掘削幅Ｓを有する広幅追加バケット２６を、標準バケット２０の各クラムシェル２１に連結ピン３１を用いて容易に取付けることができるので、例えば排水溝の溝幅に対応した掘削幅を有するクラムシェルに交換するといった煩雑な交換作業を不要とすることができる。
【００４３】
次に、図６ないし図８は本発明に係るクラムシェルバケット装置の第２の実施の形態を示し、本実施の形態の特徴は、標準バケットに掘削幅の小さい狭幅追加バケットを着脱可能に取付けたことにある。なお、本実施の形態では、上述した第１の実施の形態と同一の構成要素に同一符号を付し、その説明を省略するものとする。
【００４４】
図中、４１は本実施の形態によるクラムシェルバケット装置で、該クラムシェルバケット装置４１は、油圧シリンダ１２、リンク１８、標準バケット２０、及び後述の狭幅追加バケット４２等により構成されている。
【００４５】
４２，４２は標準バケット２０を構成する各クラムシェル２１に着脱可能に取付けられた一組の狭幅追加バケットで、これら狭幅追加バケット４２は、第１の実施の形態による広幅追加バケット２６に代えて本実施の形態に用いたもので、標準バケット２０の各クラムシェル２１に追加して取付けられることにより、クラムシェルバケット装置４１の掘削幅を縮小するものである。
【００４６】
ここで、狭幅追加バケット４２は、図８に示すように、クラムシェル２１の各側板２２間の幅寸法に対応する幅寸法をもった左，右の取付板４３，４３と、これら各取付板４３よりも狭幅となってクラムシェル２１の底板２３から下方、即ち、図６、図７に示す如く底板２３から離間する方向に延び、クラムシェル２１の下側に追加の収容空間４４を形成する左，右の追加側板４５，４５と、クラムシェル２１の底板２３よりも狭幅となって各追加側板４５間を連結し収容空間４４の底部を形成する追加底板４６とにより構成されている。そして、図７に示すように、各追加側板４５間の幅寸法が狭幅追加バケット４２の掘削幅Ｓ′となり、この狭幅追加バケット４２の掘削幅Ｓ′は、標準バケット２０の掘削幅Ｌよりも狭幅（Ｓ′＜Ｌ）に設定されている。
【００４７】
また、各取付板４３にはクラムシェル２１の各側板２２に設けたピン孔２２Ａに対応するピン孔４３Ａが穿設され、これら各ピン孔２２Ａ，４３Ａに長尺な連結ピン４７，４７を挿通することにより、クラムシェル２１の各側板２２に狭幅追加バケット４２の各取付板４３が固定される。これにより、標準バケット２０の各クラムシェル２１に狭幅追加バケット４２が着脱可能に取付けられ、標準バケット２０の下側に狭幅追加バケット４２の収容空間４４が追加して設けられる構成となっている。
【００４８】
本実施の形態によるクラムシェルバケット装置４１は上述の如き構成を有するもので、清掃すべき排水溝の溝幅が標準バケット２０の掘削幅Ｌよりも小さい場合には、この排水溝の溝幅よりも僅かに小さい掘削幅Ｓ′をもった狭幅追加バケット４２を予め標準バケット２０の各クラムシェル２１に取付けておく。
【００４９】
そして、クラムシェルバケット装置４１を排水溝の上方へと移動させた後、油圧シリンダ１２によって各クラムシェル２１を開位置へと移動させた状態で、狭幅追加バケット４２を排水溝内に挿入する。この場合、狭幅追加バケット４２の掘削幅Ｓ′は排水溝の溝幅に対応しているため、標準バケット２０の各クラムシェル２１を排水溝内に挿入することができない場合でも、狭幅追加バケット４２を排水溝内に確実に挿入することができる。
【００５０】
次に、油圧シリンダ１２によってクラムシェル２１を閉位置へと移動させることにより、狭幅追加バケット４２の収容空間４４内に排水溝内の泥土を掬取ることができる。
【００５１】
かくして、本実施の形態によれば、排水溝の溝幅が標準バケット２０の掘削幅Ｌよりも小さく、標準バケット２０のクラムシェル２１を排水溝内に挿入できない場合でも、各クラムシェル２１に排水溝の溝幅に対応した掘削幅Ｓ′を有する狭幅追加バケット４２を取付けることにより、クラムシェルバケット装置４１の掘削幅を縮小することができる。このため、狭幅追加バケット４２を用いて狭幅な排水溝内の泥土を確実に掬取ることができ、狭幅な排水溝の清掃作業を、作業者の手作業に頼ることなく、クラムシェルバケット装置４１を用いて効率良く行うことができる。
【００５３】
また、上述した各実施の形態では、クラムシェルバケット装置１１，４１を油圧ショベル１のアーム８先端側に吊下げた場合を例に挙げたが、本発明はこれに限らず、例えば油圧クレーンのブームから垂下するロープにクラムシェルバケット装置１１，４１を吊下げる構成としてもよい。
【００５４】
【発明の効果】
以上詳述した如く、請求項１の発明によれば、標準バケットを構成する各クラムシェルに、このクラムシェルの側板間の掘削幅よりも広幅な掘削幅を有する広幅追加バケットを着脱可能に取付ける構成としたので、クラムシェルバケット装置の掘削幅を容易に拡張することができる。これにより、例えば標準バケットの掘削幅よりも大きな溝幅をもった排水溝内の泥土等を掬取る場合には、排水溝の溝幅に対応した掘削幅を有する広幅追加バケットを標準バケットの各クラムシェルに取付けることにより、この広幅追加バケットを用いて排水溝内の泥土等を掬取ることができる。このため、クラムシェルバケット装置を排水溝の溝幅方向に移動させつつ、複数回にわたってクラムシェルを開，閉する必要がなくなり、排水溝を清掃するときの作業性を高めることができる。
この場合、標準バケットを構成するクラムシェルの側板に広幅追加バケットの取付板を固定するだけで、クラムシェルの側板と広幅追加バケットの追加側板との間に、追加底板を底部とする追加の収容空間を形成することができる。このため、クラムシェルに追加の収容空間を形成した分、クラムシェルバケット装置の掘削幅を容易に拡張することができる。
【００５６】
また、請求項２の発明によれば、標準バケットを構成する各クラムシェルに、このクラムシェルの側板間の掘削幅よりも狭幅な掘削幅を有する狭幅追加バケットを着脱可能に取付ける構成としたので、クラムシェルバケット装置の掘削幅を容易に縮小することができる。これにより、例えば標準バケットの掘削幅よりも小さな溝幅をもった排水溝内の泥土等を掬取る場合には、排水溝の溝幅に対応した掘削幅を有する狭幅追加バケットを標準バケットの各クラムシェルに取付け、この狭幅追加バケットを用いて排水溝内の泥土等を掬取ることができる。このため、狭幅な排水溝の清掃作業を、作業者の手作業に頼ることなく、クラムシェルバケット装置を用いて効率良く行うことができる。
この場合、標準バケットを構成するクラムシェルの側板に狭幅追加バケットの取付板を固定するだけで、クラムシェルの底板から離間した位置に狭幅な追加の収容空間を形成することができる。このため、クラムシェルに追加の収容空間を形成した分、クラムシェルバケット装置の掘削幅を容易に縮小することができる。
【図面の簡単な説明】
【図１】本発明に係るクラムシェルバケット装置の第１の実施の形態が適用された油圧ショベルを示す正面図である。
【図２】図１中のクラムシェルバケット装置をクラムシェルが閉位置となった状態で示す拡大正面図である。
【図３】クラムシェルバケット装置をクラムシェルが開位置となった状態で示す拡大正面図である。
【図４】クラムシェルバケット装置を図２中の矢示IV−IV方向からみた左側面図である。
【図５】クラムシェルバケット装置を示す分解斜視図である。
【図６】第２の実施の形態によるクラムシェルバケット装置を示す図２と同様の拡大正面図である。
【図７】クラムシェルバケット装置を図６中の矢示VII−VII方向からみた左側面図である。
【図８】クラムシェルバケット装置を示す分解斜視図である。
【符号の説明】
１１，４１  クラムシェルバケット装置
１２  油圧シリンダ
１８  リンク
２０  標準バケット
２１  クラムシェル
２２  側板
２３  底板
２６  広幅追加バケット
２７  取付板
２８  収容空間
２９  追加側板
３０  追加底板
４２  狭幅追加バケット
４３  取付板
４４  収容空間
４５  追加側板
４６  追加底板
【図１】
0004361675.tif 000002
【図２】
0004361675.tif 000003
【図３】
0004361675.tif 000004
【図４】
0004361675.tif 000005
【図５】
0004361675.tif 000006
【図６】
0004361675.tif 000007
【図７】
0004361675.tif 000008
【図８】
0004361675.tif 000009